(57)【要約】【課題】セットアップパルスを実現する回路を単純化して、プラズマ表示装置の製造コストを低減するプラズマ表示装置を提供する。【解決手段】本発明は、スキャン電極を含むプラズマディスプレイパネルと、前記スキャン電極に抵抗部と前記プラズマディスプレイパネルのパネルキャパシタとを連結する電流ループを形成して、セットアップパルスを供給するセットアップパルス供給部を含むスキャン駆動部とを備える。【選択図】図３
2007164187.tif 000002
【特許請求の範囲】
【請求項１】
スキャン電極を含むプラズマディスプレイパネルと、
前記スキャン電極に抵抗部と前記プラズマディスプレイパネルのパネルキャパシタとを連結する電流ループを形成して、セットアップパルスを供給するセットアップパルス供給部を含むスキャン駆動部と
を備えるプラズマ表示装置。
【請求項２】
前記スキャン駆動部は、
前記スキャン電極に前記セットアップパルスをスキャン順序に応じて印加時点を調節して供給することを特徴とする請求項１に記載のプラズマ表示装置。
【請求項３】
前記セットアップパルス供給部は、
前記各スキャン電極別に前記セットアップパルスの印加時点を制御する単位スイチング部を前記スキャン電極の数だけ備えるセットアップ集積回路部と、
セットアップ電圧源と前記セットアップ集積回路部との間に接続され、前記セットアップパルスの上昇勾配を決定する前記抵抗部と
を備えることを特徴とする請求項２に記載のプラズマ表示装置。
【請求項４】
前記単位スイチング部は、
直列連結された２つのスイチング素子を含み、
前記２つのスイチング素子の共通連結端は前記パネルキャパシタの前記スキャン電極に接続されていることを特徴とする請求項３に記載のプラズマ表示装置。
【請求項５】
前記単位スイチング部は、
前記スイチング素子のオン、オフタイムを調節して前記スキャン電極に印加される前記セットアップパルスの印加時点を調節することを特徴とする請求項４に記載のプラズマ表示装置。
【請求項６】
前記セットアップパルスの印加時点はスキャン順序に応じて遅れることを特徴とする請求項５に記載のプラズマ表示装置。
【請求項７】
スキャン電極を含むプラズマディスプレイパネルと、
前記スキャン電極のうち、２つ以上のスキャン電極を含む複数のスキャン電極群に対して、セットアップパルスを前記スキャン電極群別にスキャン順序に応じて印加時点または印加期間を調節して供給するスキャン駆動部とを含み、
前記スキャン駆動部は、前記スキャン電極群に抵抗部と前記プラズマディスプレイパネルのパネルキャパシタとを連結する電流ループを形成して、前記セットアップパルスを供給するセットアップパルス供給部を含むことを特徴とするプラズマ表示装置。
【請求項８】
前記セットアップパルス供給部は、
前記各スキャン電極群別に前記セットアップパルスの印加時点または印加期間を制御する単位スイチング部を前記各スキャン電極群に含まれているスキャン電極の数だけ備え、前記スキャン電極群の数に対応する数のセットアップ集積回路部を含むことを特徴とする請求項７に記載のプラズマ表示装置。
【請求項９】
前記セットアップパルス供給部は、
セットアップ電圧源と前記スキャン電極群の数に対応する数のセットアップ集積回路部との間に接続され、前記セットアップパルスの上昇勾配を決定する、前記スキャン電極群の数に対応する数の前記抵抗部を備えることを特徴とする請求項７に記載のプラズマ表示装置。
【請求項１０】
前記単位スイチング部は、
直列連結された２つのスイチング素子を含み、
前記２つのスイチング素子の共通連結端は前記パネルキャパシタの前記スキャン電極に接続されていることを特徴とする請求項８に記載のプラズマ表示装置。
【請求項１１】
前記抵抗部の抵抗値は同一であることを特徴とする請求項９に記載のプラズマ表示装置。
【請求項１２】
前記単位スイチング部は、
前記スイチング素子のオン、オフタイムを調節して前記スキャン電極群に印加されるセットアップパルスの印加時点を調節することを特徴とする請求項１０に記載のプラズマ表示装置。
【請求項１３】
前記セットアップパルスの印加時点はスキャン順序に応じて遅れることを特徴とする請求項１２に記載のプラズマ表示装置。
【請求項１４】
前記抵抗部の抵抗値はスキャン順序に応じて大きくなることを特徴とする請求項９に記載のプラズマ表示装置。
【請求項１５】
前記単位スイチング部は、
前記スイチング素子のオン、オフタイムを調節して前記スキャン電極群に印加されるセットアップパルスの印加時点または印加期間を調節することを特徴とする請求項１０に記載のプラズマ表示装置。
【請求項１６】
前記セットアップパルスの印加時点はスキャン順序に応じて遅れることを特徴とする請求項１５に記載のプラズマ表示装置。
【請求項１７】
前記セットアップパルスの印加期間はスキャン順序に応じて長くなることを特徴とする請求項１６に記載のプラズマ表示装置。
【請求項１８】
前記セットアップパルスの印加期間はスキャン順序に応じて長くなることを特徴とする請求項１５に記載のプラズマ表示装置。
【発明の詳細な説明】
【技術分野】
【０００１】
本発明は、プラズマ表示装置に関する。
【背景技術】
【０００２】
通常、プラズマディスプレイパネル（ｐｌａｓｍａ Ｄｉｓｐｌａｙ Ｐａｎｅｌ：ＰＤＰ）は、Ｈｅ＋Ｘｅ、Ｎｅ＋Ｘｅ、Ｈｅ＋Ｘｅ＋Ｎｅなどの不活性混合ガスが放電する際に発生する紫外線を利用して、蛍光体を励起発光させることにより画像を表示する。このようなプラズマディスプレイパネルは、薄膜化、大型化が容易であるのみならず、近年の技術開発により画質が向上している。
【０００３】
図１は、ＰＤＰにおいて２５６階調を実現するための８ビットデフォルトコードのサブフィールドパターンを示す図である。
【０００４】
図１を参照すれば、プラズマディスプレイパネルは、画像の階調を実現するために、１フレームを発光回数の異なる複数のサブフィールドに分けて時分割駆動を行う。各サブフィールドは全画面を初期化するためのリセット期間、スキャンラインを選択し、選択されたスキャンラインで放電セルを選択するためのアドレス期間、及び、放電回数に応じて階調を実現するサステイン期間に分けられる。
【０００５】
例えば、２５６階調で画像を表示しようとする場合に、１／６０秒に該当するフレーム期間（１６.６７ｍｓ）は８個のサブフィールドＳＦ１〜ＳＦ８に分けられる。８個のサブフィールドＳＦ１〜ＳＦ８のそれぞれは、リセット期間、アドレス期間、及び、サステイン期間に分けられる。各サブフィールドのリセット期間とアドレス期間は、各サブフィールド毎に同一である反面、サステイン期間とそれに割り当てられるサステインパルスの数は、各サブフィールドにおいて２ｎ(ｎ＝０、１、２、３、４、５、６、７）の割合で増加する。
【０００６】
図２は、従来のプラズマディスプレイパネルの駆動波形を示す図である。
【０００７】
図２を参照すれば、サブフィールドＳＦのそれぞれは、全画面の放電セルを初期化するためのリセット期間ＲＰ、放電セルを選択するためのアドレス期間ＡＰ、及び、選択された放電セルの放電を維持させるためのサステイン期間ＳＰを含む。
【０００８】
リセット期間ＲＰにおけるセットアップＳＵでは、全てのスキャン電極Ｙに上昇ランプ状のセットアップパルスＰＲが同時に印加される。このセットアップパルスＰＲにより全画面のセル内には微弱な放電（セットアップ放電）が生じ、セル内に壁電荷が生成される。
【０００９】
リセット期間ＲＰにおけるセットダウン期間ＳＤでは、セットアップパルスＰＲが印加された後、セットアップパルスＰＲのピーク電圧よりも低い正極性のサステイン電圧Ｖｓから負極性の電圧まで所定の勾配で下降する下降ランプ状のセットダウンパルスＮＲがスキャン電極Ｙに同時に印加される。セットダウンパルスＮＲはセル内に微弱な消去放電を起こすことで、セットアップ放電により生成された壁電荷及び空間電荷のうちの不要電荷を消去させ、全画面のセル内にアドレス放電に必要な壁電荷を均一に残留させる。
【００１０】
アドレス期間ＡＰにおいては、負極性のスキャンパルスＳＣＮＰがスキャン電極Ｙに順次印加されると同時に、アドレス電極（データ電極）Ｘに正極性のデータパルスＤＰが印加される。このスキャンパルスＳＣＮＰとデータパルスＤＰの電圧差と、リセット期間ＲＰに生成された壁電圧が加えられ、データパルスＤＰが印加されるセル内でアドレス放電が生じる。また、アドレス放電により選択されたセル内で壁電荷が生成される。
【００１１】
一方、セットダウン期間ＳＤとアドレス期間ＡＰにおいて、サステイン電極Ｚには正極性のバイアス電圧Ｖｚｂが印加される。
【００１２】
サステイン期間ＳＰにおいては、スキャン電極Ｙとサステイン電極Ｚに交番的にサステインパルスＳＵＳＰが印加される。すると、アドレス放電により選択されたセルはセル内の壁電圧とサステインパルスＳＵＳＰが加えられ、サステインパルスＳＵＳＰが印加される度にスキャン電極Ｙとサステイン電極Ｚとの間に面放電の形態でサステイン放電、すなわち画像を表示する表示放電が生じる。このようにすることで、１つのサブフィールドにおけるプラズマディスプレイパネルの駆動過程が完成する。
【００１３】
上述したように、従来はリセット期間の間に上昇ランプ状のセットアップパルスが全てのスキャン電極に同時に印加された。しかしながら、このようなランプ波形を実現するために要求される回路素子により、プラズマ表示装置の製造コストが上昇するという問題点がある。
【００１４】
また、全てのセットアップパルスは、同時に全てのスキャン電極に印加される反面、アドレス放電はスキャン順序に応じて順次発生するので、スキャンの順序上、アドレス放電が遅れて発生する放電セルの壁電荷がセットアップ放電後からアドレス放電前までの時間経過による電荷間の再結合などにより消失してしまい、アドレス放電が不安定になるという問題点がある。
【発明の開示】
【発明が解決しようとする課題】
【００１５】
そこで、本発明は上記事情に鑑みてなされたものであって、目的とするところは、セットアップパルスを実現する回路を単純化してプラズマ表示装置の製造コストを低減することにある。
【００１６】
また、本発明の他の目的は、セットアップパルスの印加時点とセットアップパルスの波形を改善して、安定した駆動を確保するプラズマ表示装置を提供することにある。
【課題を解決するための手段】
【００１７】
上記目的を達成するために、第１発明に係るプラズマ表示装置は、スキャン電極を含むプラズマディスプレイパネルと、前記スキャン電極に抵抗部と前記プラズマディスプレイパネルのパネルキャパシタとを連結する電流ループを形成して、セットアップパルスを供給するセットアップパルス供給部を含むスキャン駆動部と、を備えることを特徴とする。
【００１８】
第２発明に係るプラズマ表示装置は、第１発明に係るプラズマ表示装置において、前記スキャン駆動部は、前記スキャン電極に前記セットアップパルスをスキャン順序に応じて印加時点を調節して供給することを特徴とする。
【００１９】
第３発明に係るプラズマ表示装置は、第２発明に係るプラズマ表示装置において、前記セットアップパルス供給部は、前記各スキャン電極別に前記セットアップパルスの印加時点を制御する単位スイチング部を前記スキャン電極の数だけ備えるセットアップ集積回路部と、セットアップ電圧源と前記セットアップ集積回路部との間に接続され、前記セットアップパルスの上昇勾配を決定する前記抵抗部と、を備えることを特徴とする。
【００２０】
第４発明に係るプラズマ表示装置は、第３発明に係るプラズマ表示装置において、前記単位スイチング部は、直列連結された２つのスイチング素子を含み、前記２つのスイチング素子の共通連結端は前記パネルキャパシタの前記スキャン電極に接続されることを特徴とする。
【００２１】
第５発明に係るプラズマ表示装置は、第４発明に係るプラズマ表示装置において、前記単位スイチング部は、前記スイチング素子のオン、オフタイムを調節して前記スキャン電極に印加される前記セットアップパルスの印加時点を調節することを特徴とする。
【００２２】
第６発明に係るプラズマ表示装置は、第５発明に係るプラズマ表示装置において、前記セットアップパルスの印加時点はスキャン順序に応じて遅れることを特徴とする。
【００２３】
また、第７発明に係るプラズマ表示装置は、スキャン電極を含むプラズマディスプレイパネルと、前記スキャン電極のうち、２つ以上のスキャン電極を含む複数のスキャン電極群に対して、セットアップパルスを前記スキャン電極群別にスキャン順序に応じて印加時点または印加期間を調節して供給するスキャン駆動部と、を含み、前記スキャン駆動部は、前記スキャン電極群に抵抗部と前記プラズマディスプレイパネルのパネルキャパシタとを連結する電流ループを形成して、前記セットアップパルスを供給するセットアップパルス供給部を含むことを特徴とする。
【００２４】
第８発明に係るプラズマ表示装置は、第７発明に係るプラズマ表示装置において、前記セットアップパルス供給部は、前記各スキャン電極群別に前記セットアップパルスの印加時点または印加期間を制御する単位スイチング部を前記各スキャン電極群に含まれているスキャン電極の数だけ備え、前記スキャン電極群の数に対応する数のセットアップ集積回路部を含むことを特徴とする。
【００２５】
第９発明に係るプラズマ表示装置は、第７発明に係るプラズマ表示装置において、前記セットアップパルス供給部は、セットアップ電圧源と前記スキャン電極群の数に対応する数のセットアップ集積回路部との間に接続され、前記セットアップパルスの上昇勾配を決定する、前記スキャン電極群の数に対応する数の前記抵抗部を備えることを特徴とする。
【００２６】
第１０発明に係るプラズマ表示装置は、第８発明に係るプラズマ表示装置において、前記単位スイチング部は、直列連結された２つのスイチング素子を含み、前記２つのスイチング素子の共通連結端は前記パネルキャパシタの前記スキャン電極に接続されることを特徴とする。
【００２７】
第１１発明に係るプラズマ表示装置は、第９発明に係るプラズマ表示装置において、前記抵抗部の抵抗値は同一であることを特徴とする。
【００２８】
第１２発明に係るプラズマ表示装置は、第１０発明に係るプラズマ表示装置において、前記単位スイチング部は、前記スイチング素子のオン、オフタイムを調節して前記スキャン電極群に印加されるセットアップパルスの印加時点を調節することを特徴とする。
【００２９】
第１３発明に係るプラズマ表示装置は、第１２発明に係るプラズマ表示装置において、前記セットアップパルスの印加時点はスキャン順序に応じて遅れることを特徴とする。
【００３０】
第１４発明に係るプラズマ表示装置は、第９発明に係るプラズマ表示装置において、前記抵抗部の抵抗値はスキャン順序に応じて大きくなることを特徴とする。
【００３１】
第１５発明に係るプラズマ表示装置は、第１０発明に係るプラズマ表示装置において、前記単位スイチング部は、前記スイチング素子のオン、オフタイムを調節して前記スキャン電極群に印加されるセットアップパルスの印加時点または印加期間を調節することを特徴とする。
【００３２】
第１６発明に係るプラズマ表示装置は、第１５発明に係るプラズマ表示装置において、前記セットアップパルスの印加時点はスキャン順序に応じて遅れることを特徴とする。
【００３３】
第１７発明に係るプラズマ表示装置は、第１６発明に係るプラズマ表示装置において、前記セットアップパルスの印加期間はスキャン順序に応じて長くなることを特徴とする。
【発明の効果】
【００３４】
以上で詳述したような本発明によれば、セットアップパルスを実現する回路を単純化してプラズマ表示装置の製造コストを低減できるという効果を奏する。
【００３５】
また、セットアップパルスの波形を改善し、セットアップパルスの印加時点または印加時間を調節することで、アドレス放電を安定化させて全体の駆動過程を安定化させる効果がある。
【発明を実施するための最良の形態】
【００３６】
以下、添付図面を参照しつつ本発明の実施形態を詳細に説明する。
【００３７】
図３は、本発明の第１の実施形態に係るプラズマ表示装置を示す図、図４は、本発明の第１の実施形態に係るプラズマ表示装置のスキャン駆動部に含まれているセットアップパルス供給部を示す図、図５は、本発明の第１の実施形態に係るプラズマ表示装置の駆動波形を示す図である。
【００３８】
図３及び図４に示すように、本発明の第１の実施形態に係るプラズマ表示装置は、データ電極Ｘ１〜Ｘｍ、スキャン電極Ｙ１〜Ｙｎ及びサステイン電極Ｚを含むプラズマディスプレイパネル３００と、データ電極Ｘ１〜Ｘｍにデータを供給するデータ駆動部３１と、スキャン電極Ｙ１〜Ｙｎを駆動するスキャン駆動部３３と、サステイン電極Ｚを駆動するサステイン駆動部３４と、各駆動部３１、３３、３４を制御するタイミングコントローラ３５と、各駆動部３１、３３、３４に駆動電圧を供給する駆動電圧発生部３６とを含む。
【００３９】
プラズマディスプレイパネル３００は、前面パネル（図示せず）と後面パネル（図示せず)とが不活性ガスを含む放電空間を挟んで一定の間隔で貼り合わされ、前面パネルにはスキャン電極Ｙ１〜Ｙｎ及びサステイン電極Ｚが対を成して位置形成され、後面パネルにはスキャン電極Ｙ１〜Ｙｎ及びサステイン電極Ｚと交差するようにデータ電極Ｘ１〜Ｘｍが配置される。
【００４０】
データ駆動部３１は、逆ガンマ補正回路、誤差拡散回路などにより逆ガンマ補正及び誤差拡散された後、サブフィールドマッピング回路により予め設定されたサブフィールドパターンに応じてマッピングされたデータが供給される。データ駆動部３１はタイミングコントローラ３５の制御下でデータをサンプリングしてラッチした後、そのデータをデータ電極Ｘ１〜Ｘｍに供給する。
【００４１】
スキャン駆動部３３はタイミングコントローラ３５の制御下でセットアップ期間の間にスキャン電極Ｙ１〜Ｙｎにセットアップパルスをスキャン順序に応じて印加時点を調節して順次供給する。
【００４２】
スキャン駆動部３３は、スキャン電極Ｙ１〜Ｙｎに抵抗部ＲとパネルキャパシタＣｐ１〜Ｃｐｎとを連結する電流ループを形成して、セットアップパルスを供給するセットアップパルス供給部を含む。パネルキャパシタはプラズマディスプレイパネル３００のスキャン電極Ｙとサステイン電極Ｚとの間に形成される静電容量を等価的に表したものである。
【００４３】
図４に示すように、セットアップパルス供給部は、セットアップ電圧源Ｖｓｔと、セットアップ集積回路部４００及び抵抗部Ｒを含む。
【００４４】
セットアップ電圧源Ｖｓｔは、スキャン電極Ｙ１〜Ｙｎに供給されるセットアップパルスの供給電圧源である。
【００４５】
セットアップ集積回路部４００は、スキャン電極Ｙ１〜Ｙｎの数だけ集積された単位スイチング部Ｓ１〜Ｓｎを備え、単位スイチング部Ｓ１〜Ｓｎのそれぞれは各スキャン電極Ｙ１〜Ｙｎに供給されるセットアップパルスの印加時点を制御する。
【００４６】
単位スイチング部Ｓ１〜Ｓｎのそれぞれは、直列連結された２つのスイチング素子Ｑｔ、Ｑｂを含み、２つのスイチング素子Ｑｔ、Ｑｂの共通連結端はパネルキャパシタＣｐ１〜Ｃｐｎのスキャン電極Ｙ１〜Ｙｎに接続される。
【００４７】
抵抗部Ｒは、セットアップ電圧源Ｖｓｔとセットアップ集積回路部４００との間に接続されており、セットアップパルスの上昇勾配を決定する。
【００４８】
図５に示すように、最初のスキャン電極Ｙ１にセットアップパルスＲＰ1を供給するために、図４の第１単位スイチング部Ｓ１の上部スイッチＱｔをｔ１時点でターンオンすれば、セットアップ電圧源Ｖｓｔ、抵抗部Ｒ、第１単位スイチング部Ｓ１の上部スイッチＱｔ、最初のスキャン電極Ｙ１が形成するパネルキャパシタＣｐ１、セットアップ電圧源Ｖｓｔを連結する電流ループが形成されて、最初のスキャン電極Ｙ１上には図５に示すように、ｔ１時点で抵抗部Ｒの抵抗値とパネルキャパシタＣｐ１のキャパシタンス値によって決定された時定数値で上昇するセットアップパルスＲＰ1が供給される。
【００４９】
続いて、２番目のスキャン電極Ｙ２にセットアップパルスＲＰ２を供給するために、図４の第２単位スイチング部Ｓ２の上部スイッチ（図示せず）をt２時点でターンオンすれば、セットアップ電圧源Ｖｓｔ、抵抗部Ｒ、第２単位スイチング部Ｓ２の上部スイッチ、２番目のスキャン電極Ｙ２が形成するパネルキャパシタＣｐ２、セットアップ電圧源Ｖｓｔを連結する電流ループが形成されて、２番目のスキャン電極Ｙ２上には図５に示すように、t２時点で抵抗部Ｒの抵抗値とパネルキャパシタＣｐ２のキャパシタンス値によって決定された時定数値で上昇するセットアップパルスＲＰ２が供給される。
【００５０】
このような方法により、スキャン電極Ｙ１〜Ｙｎに印加されるセットアップパルスＲＰ１〜ＲＰｎの印加時点ｔ１〜ｔｎを調節することで、安定したアドレス放電を発生させることができる。
【００５１】
セットアップ放電後からアドレス放電までの期間中に発生する壁電荷の損失を考慮して、セットアップパルスＲＰ１〜ＲＰｎの印加時点ｔ１〜ｔｎはスキャン順序に応じて遅らせる。
【００５２】
スキャン駆動部３３は、セットアップパルスがスキャン電極Ｙ１〜Ｙｎに供給された後、アドレス期間中にスキャンラインを選択するために、スキャン電極Ｙ１〜Ｙｎにスキャン基準電圧Ｖｓｃと、スキャン基準電圧Ｖｓｃからグラウンドに下降するスキャンパルスＳＣＮＰを印加する。
【００５３】
スキャン駆動部３３は、サステイン期間中にアドレス期間において選択されたセルでサステイン放電を発生させるサステインパルスＳＵＳＰをスキャン電極Ｙ１〜Ｙｎに供給する。
【００５４】
サステイン駆動部３４は、タイミングコントローラ３５の制御下で、アドレス期間を含む期間中に正極性のバイアス電圧Ｖｚｂをサステイン電極Ｚに供給した後、サステイン期間の間にスキャン駆動部３３と交互に動作して、サステインパルスＳＵＳＰをサステイン電極Ｚに供給する。
【００５５】
タイミングコントローラ３５は、垂直／水平同期信号の入力を受けて、各駆動部に必要なタイミング制御信号ＣＴＲＸ、ＣＴＲＹ、ＣＴＲＺを発生し、そのタイミング制御信号ＣＴＲＸ、ＣＴＲＹ、ＣＴＲＺを該当駆動部３１、３３、３４に供給することで、各駆動部３１、３３、３４を制御する。データ駆動部３１に印加されるタイミング制御信号ＣＴＲＸには、データをサンプリングするためのサンプリングクロック、ラッチ制御信号、エネルギー回収回路と駆動スイッチ素子のオン／オフタイムを制御するためのスイッチ制御信号が含まれる。スキャン駆動部３３に印加されるタイミング制御信号ＣＴＲＹには、スキャン駆動部３３内のエネルギー回収回路と駆動スイッチ素子のオン／オフタイムを制御するためのスイッチ制御信号が含まれる。サステイン駆動部３４に印加されるタイミング制御信号ＣＴＲＺには、サステイン駆動部３４内のエネルギー回収回路と駆動スイッチ素子のオン／オフタイムを制御するためのスイッチ制御信号が含まれる。
【００５６】
駆動電圧発生部３６は、サステイン電圧Ｖｓ、セットアップ電圧Ｖｓｔ、スキャン基準電圧Ｖｓｃ、データ電圧Ｖａなどを含む各駆動部３１、３３、３４で必要な各種駆動電圧を発生させる。このような駆動電圧は、放電ガスの組成や放電セル構造によって変わり得る。
【００５７】
以上で詳述したように、本発明の第１の実施形態に係るプラズマ表示装置は、セットアップパルスを実現する回路を単純化することにより製造コストを低減し、セットアップパルスの印加時点とセットアップパルスの波形を改善することによりアドレス放電を安定化させて全体の駆動過程を安定化させるプラズマ表示装置を提供する。
【００５８】
図６は、本発明の第２の実施形態に係るプラズマ表示装置のスキャン駆動部に含まれているセットアップパルス供給部を示す図、図７は、本発明の第２の実施形態に係るプラズマ表示装置の駆動波形を示す図、図８は、本発明の第２の実施形態に係るプラズマ表示装置の変形例に関する駆動波形を示す図である。
【００５９】
以下では、本発明の第２の実施形態に係るプラズマ表示装置の構成要素のうち、第１の実施形態と重複する部分の説明については、第１の実施形態の説明に代えるものとする。尚、説明の便宜上、図３を参照して本発明の第２の実施形態に係るプラズマ表示装置を説明する。
【００６０】
図３及び図６に示すように、本発明の第２の実施形態に係るプラズマ表示装置は、データ電極Ｘ１〜Ｘｍ、スキャン電極Ｙ１〜Ｙｎ及びサステイン電極Ｚを含むプラズマディスプレイパネル３００と、データ電極Ｘ１〜Ｘｍにデータを供給するデータ駆動部３１と、スキャン電極Ｙ１〜Ｙｎを駆動するスキャン駆動部３３と、サステイン電極Ｚを駆動するサステイン駆動部３４と、各駆動部３１、３３、３４を制御するタイミングコントローラ３５と、各駆動部３１、３３、３４に駆動電圧を供給する駆動電圧発生部３６とを含む。
【００６１】
スキャン駆動部３３は、タイミングコントローラ３５の制御下でセットアップ期間中にスキャン電極Ｙ１〜Ｙｎのうち、２つ以上のスキャン電極を含む複数のスキャン電極群に対して、スキャン電極群別にセットアップパルスをスキャン順序に応じて印加時点を調節して順次供給する。スキャン駆動部３３は、スキャン電極群に抵抗部Ｒ１〜ＲｍとパネルキャパシタＣｐ１〜Ｃｐｎとを連結する電流ループを形成して、セットアップパルスを供給するセットアップパルス供給部を含む。パネルキャパシタはプラズマディスプレイパネル３００のスキャン電極Ｙとサステイン電極Ｚとの間に形成される静電容量を等価的に表したものである。
【００６２】
図６に示すように、セットアップパルス供給部は、セットアップ電圧源Ｖｓｔと、セットアップ集積回路部Ｓｇ１〜Ｓｇｍ及び抵抗部Ｒ１〜Ｒｍとを含む。
【００６３】
セットアップ電圧源Ｖｓｔはスキャン電極群に供給されるセットアップパルスの供給電圧源である。
【００６４】
セットアップ集積回路部Ｓｇ１〜Ｓｇｍはスキャン電極群の数だけ備えられ、それぞれのセットアップ集積回路部には、それぞれのスキャン電極群に含まれているスキャン電極の数に対応する数の単位スイチング部が集積されている。一方、それぞれのスキャン電極群に含まれているスキャン電極の数は、それぞれのスキャン電極群に対応するセットアップ集積回路部の出力ピンの数によって変更することができ、出力ピンの数が互いに異なるセットアップ集積回路部を組み合わせて用いることで、それぞれのスキャン電極群に含まれているスキャン電極の数を多様に調節することができる。
【００６５】
例えば、スキャン順序が最初のスキャン電極群に対するセットアップパルスの供給を制御する第１セットアップ集積回路部Ｓｇ１の出力ピンの数が６０である場合、最初のスキャン電極Ｙ１から６０番目のスキャン電極Ｙ６０までのスキャン電極Ｙ１〜Ｙ６０で構成されたスキャン電極群に供給されるセットアップパルスの印加時点を制御する第１セットアップ集積回路部Ｓｇ１には、最初のスキャン電極Ｙ１から６０番目のスキャン電極Ｙ６０のそれぞれにセットアップパルスを供給するための単位スイチング部Ｓ１〜Ｓ６０が集積されている。
【００６６】
単位スイチング部Ｓ１〜Ｓｎのそれぞれは、直列連結された２つのスイチング素子Ｑｔ、Ｑｂを含み、２つのスイチング素子Ｑｔ、Ｑｂの共通連結端は、パネルキャパシタＣｐ１〜Ｃｐｎのスキャン電極Ｙ１〜Ｙｎに接続される。
【００６７】
抵抗部Ｒ１〜Ｒｍは、スキャン電極群の数だけ備えられ、セットアップ電圧源Ｖｓｔとセットアップ集積回路部Ｓｇ１〜Ｓｇｍとの間に接続されており、セットアップパルスの上昇勾配を決定する。
【００６８】
図７に示すように、最初のスキャン電極群Ｙ１〜Ｙ６０にセットアップパルスＲＰｇ１を供給するために、図６の第１セットアップ集積回路部Ｓｇ１に集積された全ての単位スイチング部Ｓ１〜Ｓ６０の上部スイッチＱｔをｔ１時点で同時にターンオンすれば、セットアップ電圧源Ｖｓｔ、第１抵抗部Ｒ１、第１セットアップ集積回路部Ｓｇ１に集積された全ての単位スイチング部Ｓ１〜Ｓ６０の上部スイッチＱｔ、最初のスキャン電極群Ｙ１〜Ｙ６０に含まれている全てのスキャン電極Ｙ１〜Ｙ６０が形成するパネルキャパシタＣｐ１〜Ｃｐ６０、セットアップ電圧源Ｖｓｔを連結する電流ループが形成されて、最初のスキャン電極群Ｙ１〜Ｙ６０に含まれている全てのスキャン電極Ｙ１〜Ｙ６０には、図７に示すように、ｔ１時点で第１抵抗部Ｒ１の抵抗値とパネルキャパシタＣｐ１〜Ｃｐ６０のキャパシタンス値によって決定された時定数値で上昇するセットアップパルスＲＰｇ１が供給される。
【００６９】
このような方法により、スキャン電極群に順次印加されるセットアップパルスＲＰｇ１〜ＲＰｇｍの印加時点ｔ１〜ｔｍを調節することで、安定したアドレス放電を発生させることができる。
【００７０】
また、抵抗部Ｒ１〜Ｒｍの抵抗値は同一にする。このようにすることで、全てのセットアップパルスＲＰｇ１〜ＲＰｇｍの時定数値を同一にし、各セットアップパルスの印加時点のみを異なるようにして、その後のアドレス放電に対応する。
【００７１】
セットアップ放電後からアドレス放電までの期間中に発生する壁電荷の損失を考慮して、セットアップパルスＲＰｇ１〜ＲＰｇｍの印加時点ｔ１〜ｔｍをスキャン順序に応じて遅らせる。
【００７２】
上述したように、本発明の第２の実施形態によれば、セットアップパルスを実現する回路を単純化することにより製造コストを低減し、スキャン電極群毎にセットアップパルスの印加時点とセットアップパルスの波形を改善することによりアドレス放電を安定化させて全体の駆動過程を安定化させるプラズマ表示装置を提供する。
【００７３】
第２の実施形態の変形例として、図８に示すように、スキャン電極群に印加するセットアップパルスＲＰｇ１〜ＲＰｇｍの印加期間を調節する方法を採用することができる。
【００７４】
第２の実施形態の変形例は、第２の実施形態と略同一の駆動原理の下で駆動されるので、詳細な説明は第２の実施形態に関する説明に代えるものとする。
【００７５】
ただし、第２の実施形態の変形例が第２の実施形態と比較して異なる点は、図８に示すように、スキャン電極群に印加されるセットアップパルスＲＰｇ１〜ＲＰｇｍの印加時点を同一にし、セットアップパルスＲＰｇ１〜ＲＰｇｍの印加期間をスキャン順序に応じて長く調節する点と、図６に示す抵抗部Ｒ１〜Ｒｍの抵抗値をスキャン順序に応じて大きくなるようにして(すなわち、Ｒ１＜Ｒ２＜．．．＜Ｒｍ)、セットアップパルスＲＰｇ１〜ＲＰｇｍの時定数値をスキャン順序に応じて増加させることで、スキャン順序に応じてセットアップパルスＲＰｇ１〜ＲＰｇｍの上昇勾配を次第に緩やかにする点である。このようにすることで、セットアップ放電後からアドレス放電までの期間中に発生する壁電荷の損失に効率良く対処して、安定したアドレス放電を確保する。
【００７６】
以上、添付図面を参照して本発明の好ましい実施形態を説明したが、本発明は係る実施形態に限定されるものではなく、特許請求の範囲の記載から把握される技術的範囲において種々の実施形態に変更可能である。
【図面の簡単な説明】
【００７７】
【図１】プラズマディスプレイパネルにおいて２５６階調を実現するための８ビットデフォルトコードのサブフィールドパターンを示す図である。
【図２】従来のプラズマディスプレイパネルの駆動波形を示す図である。
【図３】本発明の第１の実施形態に係るプラズマ表示装置を示す図である。
【図４】本発明の第１の実施形態に係るプラズマ表示装置のスキャン駆動部に含まれているセットアップパルス供給部を示す図である。
【図５】本発明の第１の実施形態に係るプラズマ表示装置の駆動波形を示す図である。
【図６】本発明の第２の実施形態に係るプラズマ表示装置のスキャン駆動部に含まれているセットアップパルス供給部を示す図である。
【図７】本発明の第２の実施形態に係るプラズマ表示装置の駆動波形を示す図である。
【図８】本発明の第２の実施形態の変形例に係るプラズマ表示装置の駆動波形を示す図である。
【図１】
2007164187.tif 000003
【図２】
2007164187.tif 000004
【図３】
2007164187.tif 000005
【図４】
2007164187.tif 000006
【図５】
2007164187.tif 000007
【図６】
2007164187.tif 000008
【図７】
2007164187.tif 000009
【図８】
2007164187.tif 000010